(57)【要約】      （修正有）【課題】小型で効果的に振動を発生し、かつ供給シュートへの後付けが簡単な回転式振動発生器を提供する。【解決手段】電動モータ５０によって偏芯おもり５１を回転させて振動を発生させ、パチンコ遊技台に遊技玉２を供給する搬送経路である搬送樋から供給シュート１０までの間に発生する玉詰まりを解消する回転式振動発生器２０において、供給シュートに取り付けられるベースプレート３０と、ベースプレートに支持される弾性体とを備える。電動モータ５０は、弾性体に支持されたモータ支持台に支持される。電動モータの回転軸を水平方向に配設し、偏芯おもり５１を円柱状に形成する。またベースプレートの上端に、供給シュートの上部開口１１の側壁に係合させるための返し部３５を形成する。【選択図】図２
0003200210.tif 000002
【実用新案登録請求の範囲】
【請求項１】
電動モータ（５０）によって偏芯おもり（５１）を回転させて振動を発生させ、パチンコ遊技台に遊技玉（２）を供給する搬送経路である搬送樋（１）から供給シュート（１０）までの間に発生する玉詰まりを解消する回転式振動発生器（２０）において、
前記供給シュート（１０）に取り付けられるベースプレート（３０）と、
前記ベースプレート（３０）に支持される弾性体（４０）とを備え、
前記電動モータ（５０）が、前記弾性体（４０）に支持されたモータ支持台（６０）に支持されていることを特徴とする回転式振動発生器。
【請求項２】
前記電動モータ（５０）が、その回転軸（５３）を水平方向に指向させて配設されており、
前記偏芯おもり（５１）が、円柱状に形成されていることを特徴とする請求項１に記載の回転式振動発生器。
【請求項３】
前記ベースプレート（３０）の上端に、前記供給シュート（１０）の上部開口（１１）の側壁に係合させるための返し部（３５）が形成されていることを特徴とする請求項１または２に記載の回転式振動発生器。
【請求項４】
前記ベースプレート（３０）と弾性体（４０）との間が、前記ベースプレート（３０）側から挿入される皿ビス（８０）およびナット（８１）によって固定されており、
前記弾性体（４０）とモータ支持台（６０）との間が、前記弾性体（４０）側から挿入されるフランジボルト（９０）およびナット（９１）によって固定されており、
前記ベースプレート（３０）には、前記フランジボルト（９０）のネジ頭が前記ベースプレート（３０）に触れないための逃げ孔（３４）が設けられていることを特徴とする請求項１ないし３のいずれかに記載の回転式振動発生器。
【請求項５】
前記弾性体（４０）が、シリコンゴムで形成された板状部材であることを特徴とする請求項１ないし４のいずれかに記載の回転式振動発生器。
【考案の詳細な説明】
【技術分野】
【０００１】
本考案は、回転式振動発生器に係り、特に、搬送樋から各パチンコ遊技台へ遊技玉を振り分ける供給シュート付近での玉詰まりを解消する回転式振動発生器に関する。
【背景技術】
【０００２】
パチンコホールに設置されるパチンコ遊技台の上部には、各パチンコ遊技台に遊技玉を供給するための搬送経路が形成されている。この搬送経路は、複数のパチンコ遊技台からなる遊技島ごとに設けられる傾斜した搬送樋と、自重によって搬送樋を転がる遊技玉を各パチンコ遊技台に振り分けて下方に導くための供給シュートからなる。搬送樋には常に十分な量の遊技玉が流れており、各遊技台で遊技玉が消費された分だけ供給シュートから補給されるように構成されている。
【０００３】
このような搬送経路においては、使用により遊技玉や搬送樋が汚れてくると、搬送樋から供給シュートに分岐する部分や供給シュートの内部で玉詰まりが発生しやすくなる。玉詰まりが発生した場合には、遊技台の上部の蓋を開いて搬送樋や供給シュートを手で叩いて玉詰まりを解消する作業が一般的である一方、この作業負担を低減するために電動装置で供給シュートを振動させる試みも行われている。
【０００４】
特許文献１には、電動モータにより上下に往復運動する棒部材を供給シュートの下方から当接させ、電動モータを駆動することで供給シュートに上下方向の振動を発生させて玉詰まりを解消するようにした振動発生器が開示されている。
【先行技術文献】
【特許文献】
【０００５】
【特許文献１】特開２００２−２１９２６４号公報
【考案の概要】
【考案が解決しようとする課題】
【０００６】
しかしながら、特許文献１に記載された装置は、構造が複雑で上下寸法も大きいため、設置コストがかかるほか、すでに設置された搬送経路に後付けするのが難しいという課題があった。
【０００７】
本考案の目的は、上記従来技術の課題を解決し、小型で効果的に振動を発生し、かつ供給シュートへの後付けが簡単な回転式振動発生器を提供することにある。
【課題を解決するための手段】
【０００８】
前記目的を達成するために、本考案は、電動モータ（５０）によって偏芯おもり（５１）を回転させて振動を発生させ、パチンコ遊技台に遊技玉（２）を供給する搬送経路である搬送樋（１）から供給シュート（１０）までの間に発生する玉詰まりを解消する回転式振動発生器（２０）において、前記供給シュート（１０）に取り付けられるベースプレート（３０）と、前記ベースプレート（３０）に支持される弾性体（４０）とを備え、前記電動モータ（５０）が、前記弾性体（４０）に支持されたモータ支持台（６０）に支持されている点に第１の特徴がある。
【０００９】
また、前記電動モータ（５０）が、その回転軸（５３）を水平方向に指向させて配設されており、前記偏芯おもり（５１）が、円柱状に形成されている点に第２の特徴がある。
【００１０】
また、前記ベースプレート（３０）の上端に、前記供給シュート（１０）の上部開口（１１）の側壁に係合させるための返し部（３５）が形成されている点に第３特徴がある。
【００１１】
また、前記ベースプレート（３０）と弾性体（４０）との間が、前記ベースプレート（３０）側から挿入される皿ビス（８０）およびナット（８１）によって固定されており、前記弾性体（４０）とモータ支持台（６０）との間が、前記弾性体（４０）側から挿入されるフランジボルト（９０）およびナット（９１）によって固定されており、前記ベースプレート（３０）には、前記フランジボルト（９０）のネジ頭が前記ベースプレート（３０）に触れないための逃げ孔（３４）が設けられている点に第４の特徴がある。
【００１２】
さらに、前記弾性体（４０）が、シリコンゴムで形成された板状部材である点に第５の特徴がある。
【考案の効果】
【００１３】
第１の特徴によれば、前記供給シュート（１０）に取り付けられるベースプレート（３０）と、前記ベースプレート（３０）に支持される弾性体（４０）とを備え、前記電動モータ（５０）が、前記弾性体（４０）に支持されたモータ支持台（６０）に支持されているので、モータ支持台とベースプレートの間に弾性体が挟まれた構造とされることで、弾性体のバネ定数の値を最適化して電動モータの駆動時に共振状態を意図的に生じさせ、偏芯おもりによって得られる振動を増幅させることができる。これにより、小さな電動モータで十分な振動が得られ、回転式振動発生器の小型化が可能となる。さらに、電動モータの小型化により消費電力も低減することができる。
【００１４】
第２の特徴によれば、前記電動モータ（５０）が、その回転軸（５３）を水平方向に指向させて配設されており、前記偏芯おもり（５１）が、円柱状に形成されているので、電動モータへの負担が少なく、小さな電動モータで十分な振動が得られるため、回転式振動発生器を供給シュートの側面に収まる寸法まで小型化することが可能となり、生産コストが低減される。また、偏芯おもりの軸方向寸法が低減され、回転式振動発生器の小型化が可能となる。
【００１５】
第３の特徴によれば、前記ベースプレート（３０）の上端に、前記供給シュート（１０）の上部開口（１１）の側壁に係合させるための返し部（３５）が形成されているので、すでにパチンコホールに設置されて稼働中の供給シュートに対して、回転式振動発生器を簡単に後付けすることができる。
【００１６】
第４の特徴によれば、前記ベースプレート（３０）と弾性体（４０）との間が、前記ベースプレート（３０）側から挿入される皿ビス（８０）およびナット（８１）によって固定されており、前記弾性体（４０）とモータ支持台（６０）との間が、前記弾性体（４０）側から挿入されるフランジボルト（９０）およびナット（９１）によって固定されており、前記ベースプレート（３０）には、前記フランジボルト（９０）のネジ頭が前記ベースプレート（３０）に触れないための逃げ孔（３４）が設けられているので、フランジボルトのネジ頭の逃げ場が確保され、ベースプレートに干渉することがないので、弾性体による振動増幅効果が妨げられることがなく、また、フランジボルトのネジ頭が供給シュートに干渉することを防ぐことができる。
【００１７】
第５の特徴によれば、前記弾性体（４０）が、シリコンゴムで形成された板状部材であるので、回転式振動発生器の小型化を可能にし、かつシリコンゴムの形状や厚さの調整により容易に共振状態を発生させることができる。
【図面の簡単な説明】
【００１８】
【図１】本考案の一実施形態に係る回転式振動発生器を適用する搬送経路の斜視図である。
【図２】本考案の一実施形態に係る回転式振動発生器を供給シュートに取り付けた状態を示す正面図である。
【図３】回転式振動発生器の斜視図である。
【図４】ベースプレートの平面図である。
【図５】弾性体の平面図である。
【図６】モータ支持台の斜視図である。
【図７】カバー部材を取り外した状態の回転式振動発生器の正面図である。
【図８】回転式振動発生器の右側面図である。
【図９】図７のＩＸ−ＩＸ線断面図である。
【考案を実施するための形態】
【００１９】
以下、図面を参照して本考案の好ましい実施の形態について詳細に説明する。図１は、本考案の一実施形態に係る回転式振動発生器２０（図２参照）を適用する搬送経路の斜視図である。
【００２０】
金属の薄板等で略Ｕ字断面に形成される搬送樋１は、複数のパチンコ遊技台からなる遊技島ごとに設けられている。搬送樋１は、遊技玉２が自重で転がるように遊技島の中央から外側に向かって傾斜して設けられ、その側面には、各パチンコ遊技台に対応する複数の搬出口３が形成されている。搬出口３に係合されている蓋部材４を取り外すと、各パチンコ遊技台に遊技玉２を振り分けるための供給シュート１０を取り付けることができる。
【００２１】
供給シュート１０は、無色透明または有色透明の樹脂板等で形成された中空の構造体であり、横長の搬出口３から流れ出る遊技玉２の流れを徐々に細くして、フレキシブルホース１６に導く機能を有する。供給シュート１０は、搬出口３と連通する開口を搬出口３に係合すると共に、取り付け部１４によって搬送樋１の側面に固定される。
【００２２】
供給シュート１０には、搬出口３から流れ出る遊技玉２を受け止める受け部（大径部）１２と、流れを細くする絞り部（中径部）１３と、遊技玉２が１個ずつ通るフレキシブルホース１６との接続部（小径部）１５とが形成されている。受け部１２には、大量の遊技玉２が供給されてもこれを許容すると共に、作業者の指先が届くように上部開口１１が設けられている。
【００２３】
この図では、左側が低くなるように搬送樋１が傾斜しており、遊技玉２は、自重により図示左側に流れている（矢印Ａ）。供給シュート１０が取り付けられている部分では、搬送樋１の側面の搬出口３から供給シュート１０の受け部１２に遊技玉２が流れる（矢印Ｂ）。その後、絞り部１３で流れを細くしながら接続部１５において遊技玉２が一列の流れとなり、フレキシブルホース１６を通って各パチンコ遊技台に供給される（矢印Ｃ）。
【００２４】
上記した搬送経路において、使用により遊技玉２や搬送樋１が汚れてくると、搬送樋１から供給シュート１０に分岐する部分や供給シュート１０の内部で玉詰まりが発生しやすくなる。この玉詰まりを解消するためには、供給シュート１０の受け部１２と絞り部１３との略中間位置（破線円Ｄ）に振動を与えることが有効である。
【００２５】
図２は、本考案の一実施形態に係る回転式振動発生器２０を供給シュート１０に取り付けた状態を示す正面図である。また、図３は回転式振動発生器２０の斜視図である。回転式振動発生器２０は、偏芯おもり５１を回転させる電動モータ５０をベースプレート３０に取り付け、モータ部分をカバー部材２１で覆った構成とされる。板状のベースプレート３０には、その上端をＵ字状に折り曲げた返し部３５が形成されている。回転式振動発生器２０の供給シュート１０への取り付けは、ベースプレート３０の返し部３５を上部開口１１の側壁上端に引っ掛けるのみで完了する。なお、ベースプレート３０の裏面に両面テープ等を張り付けることで、より強固に固定することができる。
【００２６】
ベースプレート３０およびカバー部材２１は、それぞれ金属板で形成される。カバー部材２１は、所定の形状に打ち抜いた一枚板を折り曲げて箱状に形成したものであり、ベースプレート２３への取り付け代２３は天井壁２５および一対の第１側壁２２に連なり、一対の第２側壁２６は天井壁２５の左右に連なっている。カバー部材２１は、取り付け代２３に形成された貫通孔２４を通る締結部材によってベースプレート３０に固定される。電動モータ５０は、モータ支持台６０を介してベースプレート３０に固定されている。
【００２７】
図４は、ベースプレート３０の平面図である。また、図５は弾性体４０の平面図である。ベースプレート３０には、カバー部材２１を固定するための４つの皿孔３２と、板状の弾性体４０を固定するための４つの皿孔３３と、大径の４つの逃げ孔３４とが形成されている。皿孔３２，３３は、皿ビスを用いることでベースプレート３０の裏面側、すなわち、供給シュート１０と接触する面にネジ頭が突出しないように構成されている。
【００２８】
弾性体４０は、例えば、厚さ２ｍｍのシリコンゴムで形成することができる。弾性体４０には、ベースプレート３０の皿孔３３に対応する第１貫通孔４１と、逃げ孔３４に対応する第２貫通孔４２とが形成される。
【００２９】
図６は、モータ支持台６０の斜視図である。モータ支持台６０は、薄い金属板を折り曲げて、底板６１、後側壁６２および前側壁６３を設けたものである。前側壁６３には、電動モータ５０の回転軸が通る軸孔６６が形成されており、後側壁６２には、電動モータ５０の後端を支持する支持孔６４が形成されている。電動モータ５０は、前側壁６３および後側壁６２に挟まれることで、底板６１には触れずにモータ支持台６０に支持される。そして、底板６１には、弾性体４０の第２貫通孔４２に対応する４つの取り付け孔６５が形成されている。
【００３０】
図７は、カバー部材２１を取り外した状態の回転式振動発生器２０の正面図である。また、図８は、回転式振動発生器２０の右側面図である。電動モータ５０は、回転軸５３を水平方向に指向させてベースプレート３０に支持されている。このレイアウトによれば、偏芯おもり５１の重量によって回転軸５３を軸方向に動かそうとする負荷がかからず、設計通りの振動が得やすくなると共に、電動モータ５０の耐久性を高めることができる。偏芯おもり５１は、本実施形態のように円柱部材の回転中心を偏芯させることで軸方向の寸法を抑えた形状のほか、扇形断面等の形状として偏芯効果を得るものを適用してもよい。
【００３１】
電動モータ５０はモータ支持台６０に支持されており、モータ支持台６０は弾性体４０に支持され、弾性体４０はベースプレート３０に支持されている。すなわち、モータ支持台６０とベースプレート３０の間に弾性体４０が挟まれた構造とされている。
【００３２】
本願考案者は、この構造を適用することで、偏芯おもり５１によって得られる振動を増幅させることを可能にした。具体的には、弾性体４０のバネ定数の値を最適化することで、電動モータ５０の駆動時に共振状態を意図的に生じさせる。その結果、回転式振動発生器２０を供給シュート１０の側面に収まる寸法まで小型化することが可能となり、生産コストが低減されるほか、すでにパチンコホールの搬送経路に設置されて稼働中の供給シュート１０への後付け作業も容易となる。さらに、電動モータ５０の小型化により消費電力も低減されることとなる。
【００３３】
電動モータ５０に電力を供給する配線５４は、カバー部材２１に形成されたスリットを通って外方に導かれる。電動モータ５０の駆動は、回転式振動発生器２０ごとに設けられたスイッチの操作によって行われる。このスイッチをパチンコ遊技台の上部に設置すれば、玉詰まりを発見した作業者がスイッチを操作するのみで玉詰まりを素早く解消することができる。電動モータ５０を駆動する電力は、各パチンコ遊技台に供給される電源ラインから得るほか、乾電池等の独立した電源から得ることもできる。さらに、玉詰まり状態を検知するセンサ出力に応じて自動的に駆動するように構成することもできる。
【００３４】
図９は、図７のＩＸ−ＩＸ線断面図である。本考案では、モータ支持台６０を弾性体４０で支持して共振状態を発生させつつ、回転式振動発生器２０の大きさを最小限に抑えるため、板状の弾性体４０を適用している。モータ支持台６０の底板６１と弾性体４０とは、フランジボルト９０、ワッシャ９２およびナット９１を用いて締結される。フランジボルト９０は、図示下方から上方に向かって、弾性体４０の第２貫通孔４２および底板６１の取り付け孔６５を通り、その上方からナット９１が締め込まれる。このとき、弾性体４０の下面は、フランジボルト９０のフランジ部分に少し押しつぶされてその周囲が若干盛り上がることとなる。
【００３５】
一方、弾性体４０とベースプレート３０とは、皿ビス８０、ワッシャ８２およびナット８１を用いて締結される。フランジボルト９０より小径の皿ビス８０は、図示下方から上方に向かって、ベースプレート３０の皿孔３３および弾性体４０の第１貫通孔４１を通り、その上方からナット８１が締め込まれる。このとき、弾性体４０の上面は、ワッシャ８１に少し押しつぶされてその周囲が若干盛り上がることとなる。
【００３６】
本実施形態では、ベースプレート３０に形成された逃げ孔３４によって、フランジボルト９０のネジ頭の逃げ場が確保され、ベースプレート３０に干渉することがないので、弾性体４０による振動増幅効果が妨げられることがなく、また、フランジボルト９０のネジ頭が供給シュート１０に干渉することも防ぐことができる。
【００３７】
なお、電動モータの形式や大きさ、偏芯おもりの材質や形状、モータ支持台の材質や形状、ベースプレートの材質や形状、弾性体の材質や形状等は、上記実施形態に限られず、種々の変更が可能である。
【符号の説明】
【００３８】
１…搬送樋、２…遊技玉、３…搬出口、１０…供給シュート、１１…上部開口、１２…受け部、１３…絞り部、１５…接続部、１６…フレキシブルホース、２０…回転式振動発生器、２１…カバー部材、３０…ベースプレート、３４…逃げ孔、３５…返し部、４０…弾性体、５０…電動モータ、５１…偏芯おもり、５３…回転軸、６０…モータ支持台、８０…皿ビス、８１…ナット、９０…フランジボルト、９１…ナット
【図１】
0003200210.tif 000003
【図２】
0003200210.tif 000004
【図３】
0003200210.tif 000005
【図４】
0003200210.tif 000006
【図５】
0003200210.tif 000007
【図６】
0003200210.tif 000008
【図７】
0003200210.tif 000009
【図８】
0003200210.tif 000010
【図９】
0003200210.tif 000011